(57)【要約】 【課題】  メーカー調整のカップ飲料についてシール蓋に飲み口や空気入口を容易にかつ静かにかつ円滑に形成することができ、飲用時のマウスピースとしてカップに装着して使用することができるカップ型容器用オーバーキャップを提供する。【解決手段】  上端開口部をシール蓋５で閉じたカップ型容器２に装着してシール蓋５を切開する包装容器用オーバーキャップであって、包装容器用オーバーキャップはオーバーキャップ１に着脱可能な切開スティック７とを有し、切開スティック７を着脱可能に保持可能なスティック保持部２４と切開スティック７を挿通させることができる挿通孔２２を有し、切開スティック７は胴部２８の先端部にシール蓋５を切開可能な切刃３１を有している。【選択図】  図１
2008189328.tif 000002
【特許請求の範囲】
【請求項１】
上端開口部をシール蓋で閉じたカップ型容器に装着するオーバーキャップであって、
前記オーバーキャップは、前記シール蓋を切開する切開スティックを着脱可能に保持するスティック保持部と前記切開スティックを挿通可能な挿通孔とを有するオーバーキャップ本体を有し、
前記切開スティックは、前記シール蓋を切開可能な切り刃を胴部の先端部に有することを特徴とするカップ型容器に装着するオーバーキャップ。
【請求項２】
前記挿通孔は開口状態または易開口蓋で閉じられた状態に形成されていることを特徴とする請求項１記載のカップ型容器に装着するオーバーキャップ。
【請求項３】
前記切開スティックは前記胴部の外周に前記オーバーキャップ本体の前記挿通孔の縁と干渉可能なストッパー部を設けてなることを特徴とする請求項１記載のカップ型容器に装着するオーバーキャップ。
【請求項４】
前記スティック保持部は前記切開スティックの少なくとも一部分を着脱可能に包持する溝を有することを特徴とする請求項１記載のカップ型容器に装着するオーバーキャップ。
【請求項５】
前記溝の入り口には前記溝内の切開スティックと係合可能なアンダーカットが設けられ、または前記入り口が前記スティックと係合可能な幅で開口していることを特徴とする請求項１記載のカップ型容器に装着するオーバーキャップ。
【請求項６】
前記オーバーキャップ本体には空気の流通が可能な通気孔が形成されていることを特徴とする請求項１記載のカップ型容器に装着するオーバーキャップ。
【請求項７】
前記オーバーキャップ本体は天板の中心線周りに一周する周辺部分の近傍の少なくとも一部分が前記中心線方向に隆起している隆起部を有し、前記挿通孔は前記隆起部若しくは前記隆起部よりも前記中心線寄りの部分に形成されていることを特徴とする請求項１記載のカップ型容器に装着するオーバーキャップ。
【請求項８】
前記切開スティックは棒状の胴部を有し下端に前記切り刃を形成し前記胴部の途中若しくは上端の外周に前記オーバーキャップ本体の前記挿通孔の縁と干渉する大径部からなるストッパーを設けてなることを特徴とする請求項１記載のカップ型容器に装着するオーバーキャップ。
【請求項９】
前記切開スティックは胴部の内部に内容物が流通可能な液通路を有し下端に前記切り刃を形成し前記胴部の途中若しくは上端の外周に前記オーバーキャップ本体の前記挿通孔の縁と干渉する大径部からなるストッパーを設けてなることを特徴とする請求項１記載のカップ型容器に装着するオーバーキャップ。
【請求項１０】
前記切開スティックは先端にシール蓋に突き刺し可能な針状突出部を有することを特徴とする請求項1記載のカップ型容器に装着するオーバーキャップ。
【請求項１１】
前記切開スティックは軸方向の両端が開放している中空筒状体をなすことを特徴とする請求項1記載のカップ型容器に装着するオーバーキャップ。
【発明の詳細な説明】
【技術分野】
【０００１】
この発明は飲料を収容するカップ型容器に装着して使用するカップ型容器に装着するオーバーキャップに関するものである。
【背景技術】
【０００２】
店頭で調整したホットコーヒーなどのホット飲料を内容物として店頭で購入して持ち帰るときに使用するカップ型容器（店頭調整カップ）では、客の注文毎にカップにホットコーヒーを入れ、これにカップの上からオーバーキャップをかぶせて、顧客に手渡される。
オーバーキャップには、縁部に飲み口と空気入口が形成されていて、客はカバーキャップをカップから外さずに、オーバーキャップの上から飲み口を通して内容物を飲用する（特許文献１参照）。
【０００３】
一方飲料メーカーが調整、販売するカップ飲料用のカップ型容器（工場調整カップ）では、飲料メーカーが飲料を内容物としてカップに充填し、充填された飲料の品質維持などを目的としてカップの上端をフィルム状の蓋材でシールし、出荷する。このカップ飲料でもカップの上面にシール蓋を保護するためのオーバーキャップを装着してシール蓋を覆うが、このシール蓋を剥さずにオーバーキャップの上からカップ内の飲料を飲むことが要求されて来ている。
【０００４】
【特許文献１】特開２００６−１６０３６６
【特許文献２】特開２００４−１２３１５５
【特許文献３】特開２００６−６９６５８
【発明の開示】
【発明が解決しようとする課題】
【０００５】
しかし店頭調整カップ用のオーバーキャップを工場調整カップ用オーバーキャップとしてそのまま転用することはできない。これを、シール蓋を有するカップに転用すると、飲み口を形成する際のシール蓋開口のときにオーバーキャップの取外し、及び再取付が必要であるし、別に開口器具が必要となることもある。また、工場調整カップの場合はカップ上端にシール蓋が存在するので、飲む時はシール蓋を開口させるための手段が必要になる。
【０００６】
しかも、飲料がホットの高温飲料や有色飲料の場合は、内容物が開口時の振動で波立ってカップの外にあふれ出る事故を除くために、シール蓋を開口させる動作を特に静かに円滑に行うことができるものであることが望まれる。
シール蓋を切開して飲み口を形成するものとしては特許文献２及び３に記載したものがあるが、これらの治具ではカップ上端に装着したオーバーキャップにカッターがヒンジを介して連結していて、このカッターがスイングしてシール蓋と接触して切開するものである。
【０００７】
切開された飲み口はシール蓋の周辺部分の初期開口の部分で小さく、切開の終了点であるシール蓋の中央寄りの部分で大きいので、カップを大きく傾けないと充分な量が唇内に流れ込まない。また特に特許文献３に開示されたオーバーキャップは、カップ型容器の開口縁部は貼着されたフィルムからなるシール蓋を完全にかつスムーズに開封することを目的として、天板（１２）に切り欠き部（１６）を形成し、切刃部（３０）を有する支持部材を変位可能に設けた構成となっている。
【０００８】
支持部材（２２）は多孔状部材で、水平上の内端部（２２ａ）と弧状の外端部（２２ｂ）とを有する扇状に形成されている。そして、内端部２２ａをヒンジ２４を介して天板１２の垂直支持壁１８に連結させ、外端部２２ｂはブリッジ２６を介して天板１２の傾斜内壁２０に連結させている。
【０００９】
しかしながら、この特許文献３に示されるものは、支持部材を多孔状部材で構成するなど、構造が複雑で、高コストなものになっており、もっと構造が簡単で低コストで、カップ個々に装着できるものの開発が望まれている。
このようなことから、工場調整カップについてシール蓋に飲み口や空気入口を容易にかつ静かにかつ円滑に形成することができ、飲用時のマウスピースとしてカップに装着して使用することができるカップ型容器用オーバーキャップを提供することを目的とするものである。
【課題を解決するための手段】
【００１０】
この目的に対応して、この発明のカップ型容器に装着するオーバーキャップは上端開口部をシール蓋で閉じたカップ型容器に装着して前記シール蓋を切開するオーバーキャップであって、前記オーバーキャップは、前記シール蓋を切開する切開スティックを着脱可能に保持するスティック保持部と前記切開スティックを挿通可能な挿通孔とを有するオーバーキャップ本体を有し、前記切開スティックは、前記シール蓋を切開可能な切り刃を胴部の先端部に有することを特徴とする。
【発明の効果】
【００１１】
請求項１に記載したオーバーキャップではシール蓋を切開スティックで切開するので、切開により形成された内容物の流出口の形状は、切開スティック先端の形状によって規定されることとなり、流出口の形状を予め内容物の流出に好適な形状にすることができるので、内容物の飲用も快適になる。切開スティックはオーバーキャップ本体の上から垂直にシール蓋に押し進められて切開するので、シール蓋との間に滑りが発生せず、切開動作を振動なく、安定して行うことができ、またスティックをオーバーキャップ本体の上から挿通孔を通して挿通したときにスティックの先端がシール蓋に達する長さを有しているため
、容易に操作することもできる。
【００１２】
オーバーキャップ本体にはスティック保持部があり、スティックを確実に保持可能であるので、流通過程などでスティックが散逸することがない。
【００１３】
請求項２に記載されたオーバーキャップでは挿通孔が開口状態または易開口蓋で閉じられた状態に形成されているので、切開スティックの差し込みが特に容易である。
【００１４】
請求項３に記載されたオーバーキャップでは、切開スティックの胴部に大径のストッパーが設けられているので、シール蓋を切開した後の切開スティックがカップ内に落下することがなく、内容物飲用の障害になることはない。
【００１５】
請求項４に記載されたオーバーキャップでは、スティック保持部が切開スティックを収容可能な溝で構成されているので、切開スティックの保持が容易である。
【００１６】
請求項５に記載されたオーバーキャップでは、切開スティックを保持する溝が、その入口部にアンダーカットを設け、またはスティックと干渉する口幅に形成されているのでスティックの保持が確実である。
【００１７】
請求項６に記載されたオーバーキャップでは、息継ぎ空気の通気孔が形成されているので、流出口からの内容液の流出が円滑である。
【００１８】
請求項７に記載されたオーバーキャップでは、飲み口となる挿通孔が土手状に形成された隆起部またはその近傍に設けられているので、口唇の当り具合が良好になり、内容物を円滑に飲むことができる。
【００１９】
請求項８に記載されたオーバーキャップでは、切開スティックの胴部の頂部または途中に大径のストッパー部を設けてあるので、切開スティックが容器内に落ち込むことがない。
【００２０】
請求項９に記載されたオーバーキャップでは、切開スティックの胴部に液通路を設けてあるので、シール蓋を切開した後の切開スティックを抜き取らずに残したままでも、液通路を通して内容物を流出させ飲むことができる。
【００２１】
請求項１０に記載したオーバーキャップでは、切開スティックの先端に針状突出部を設けたので、この針状突出部と切開スティックの胴部を利用してシール蓋に小径の開口も形成することができるので、内容物流出口と空気出入孔の形成が容易になる。
【００２２】
請求項１１に記載されたオーバーキャップでは、内容物流出孔と空気出入孔とを１個の開口で兼用させることができるので、シール蓋の切開動作を簡単にすることができる。また切開スティックを飲用のマウスピースとして利用することができる。
【発明を実施するための最良の形態】
【００２３】
以下、この発明を実施するための最良の形態を示す図面を参照しつつ説明する。
図１及び図２において、１ａはこの発明のオーバーキャップでカップ型容器２の上端に装着されて使用されるものである。カップ型容器２の上端部はフランジ３が形成されており、その内側は開放して開放開口４となっており、その開放開口４はフランジ３にヒートシールされたフィルム状のシール蓋５で閉じられている。このシール蓋５がこの発明における切開の対象である。
【００２４】
オーバーキャップ１ａは、カップ型容器２に装着可能なオーバーキャップ本体６ａと、これに取り外し可能に支持されている後述する切開スティック７とからなっている。オーバーキャップ本体の材質はポリプロピレン等の汎用プラスチック、紙または複合材料など、種々のものを選択できる。製法としては、例えば材質がプラスチック製であれば、インジェクション成形やシート成形（圧空成形）など、公知の成形技術を用いることができる。
オーバーキャップ本体６ａはカップ型容器２の上端部を覆う覆部１１とこの覆部１１をカップ型容器２に取付けるための取付け裾部１２とを肩部１３を介してオーバーキャップ本体６ａの中心線１４方向に同心状に連続させて有する。覆部１１は筒状の筒部１５とその上端を閉じる天板１６とを有する。
【００２５】
取付け裾部１２は中心線１４回りに半径方向に凸出する係止部１７を有し、この係止部１７がオーバーキャップ本体６ａがカップ型容器２に装着した場合に肩部１３と協働してカップ型容器２のフランジ３を挟んで、フランジ３とオーバーキャップ本体６ａとを固定させる。このとき、肩部１３の下面には図示しないコンタクトリングやフィンなどのシール部材がフランジ３の上面と液密に接触するよう設けられているため、オーバーキャップ本体６ａとカップ型容器２との液密な装着が実現している。
【００２６】
オーバーキャップ本体６ａは中心線１４寄りの中央部に位置する窪み１８と中心線１４周りに一周する土手状に隆起している隆起部２１とを有する。
隆起部２１の頂面に挿通孔２２と空気流通孔２３が設けられている。後に説明するように、挿通孔２２、空気流通孔２３は切開スティックを挿通させる孔または息継ぎ空気を流通させる孔として利用する孔である。この実施形態では挿通孔２２と空気流通孔２３は同じ形状に形成されている。挿通孔２２と空気流通孔２３はいずれも予め開口状態に形成され、または易開口蓋で閉じられた状態に形成されている。
【００２７】
オーバーキャップ本体６ａの天板１６上にはスティック保持部２４が設けられている。スティック保持部２４は隆起部２１の挿通孔２２、空気流通孔２３にかからない位置で直線方向（例えば天板１６の直径方向）に対向してスティック収容溝２５ａ、２５ｂが形成されている。スティック収容溝２５ａ、２５ｂは溝状をなしていて、上端は開放し、窪み１８に向う前端は開放し、天板１６の周辺寄りの後端部は閉じている。スティック収容溝２５ａ、２５ｂは後述する切開スティックの先端部と後端部を収容して保持し、切開スティック７を窪み１８を横断させて保持する。
【００２８】
スティック収容溝２５ａ、２５ｂの上端開口部２６は切開スティック７の胴部２８の径よりもわずかに小さな開口幅に形成して胴部２８と干渉するように構成してあり、また、スティック収容溝２５ａ、２５ｂの上端開口部にアンダーカット３０を設けて切開スティック７の胴部２８とわずかに干渉する開口幅にする構造にしてあり、これにより、切開スティック７の不時の抜け出しを防ぐ構造としてある。切開スティック７は胴部２８が棒状をなし、先端部３２に切り刃３１を有し、先端部３２をスティック収容溝２５ａ内に納め、後端部３３をスティック収容溝２５ｂ内に納めた状態でスティック保持部２４内に保持される。
【００２９】
切開スティック７の胴部２８の途中にはストッパー３４が設けられている。ストッパー３４は外径がオーバーキャップ本体６ａの挿通孔２２の開口幅よりも大きな径に形成されていて、このストッパー３４が挿通孔２２の縁に干渉して切開スティック７がカップ型容器２内に落下しない構造になっている。
【００３０】
切開スティック７としては図４に示す構成を採ることができる。すなわち、先端部に斜めに切った切り刃３１を有し、後端部にストッパー３４を設け、かつ胴部２８に減肉化または製造時のひけを防止するためのスリット３５を貫通させて形成したもの（図４（ａ）参照）、先端部中央に尖端を形成して切り刃３１を構成し胴部２８の途中にストッパー３４を形成したもの（図４（ｂ）参照）、胴部２８に手指で把持することができる大径の把持部３６を形成し、その下端をストッパー３４として利用するもの（図４（ｃ）参照）、胴部２８のほぼ全域を大径の把持部３６とし、その下端をストッパー３４として利用するもの（図４（ｄ）参照）、胴部２８の途中に２つの大径部３７、３８を設け、これらを滑り止めとしてその間を把持部３６として構成し、下の大径部３８の下端をストッパー３４として利用するもの（図４（ｅ）参照）、その他を採用することができる。
【００３１】
このように構成されたオーバーキャップ１ａの動作は次の通りである。
内容物が充填されシール蓋５によって上端の開放開口４が閉じられた状態のカップ型容器２の上端にオーバーキャップ１ａが装着される。図３に示すようにカップ型容器２の上端にオーバーキャップ１ａを乗せて押圧すれば、オーバーキャップ本体６ａの取付裾部１２の係止部１７が肩部１３との間にカップ型容器２のフランジ３を液密に挟んで装着される。
【００３２】
次にカップ型容器２のシール蓋５を切開する動作としては、切開スティック７をオーバーキャップ本体６ａから外し、挿通孔２２に刺し込む。オーバーキャップ本体６ａの下にはシール蓋５があるので、切開スティック７の先端の切り刃３１がシール蓋５を切開し流出口４１が形成される。流出口４１が形成される切開スティック７の挿入距離において、切開スティック７のストッパー３４がオーバーキャップ本体６ａの挿通孔２２の縁に干渉して、切開スティック７の進入が停止する。
次いで切開スティック７を空気流通孔２３から刺し込み、シール蓋５を切開して空気口（図示せず）を形成する。最後に切開スティック７を引き抜いて元のスティック保持部２４に納める。
【００３３】
この状態でカップ型容器を傾けるとカップ型容器２内の内容物は流出口４１から挿通孔２２を通して流出するので、これを飲用することができる。このとき息継ぎ空気は空気口からカップ型容器２内に流通する。
図５から図７には他の実施形態に係るオーバーキャップ１ｂが示されている。このオーバーキャップ１ｂではオーバーキャップ本体６ｂの窪み１８が偏心した挿通孔２２寄りの位置に形成されている。この構成の場合は空気流通孔２３が窪み１８から離れて位置するので、使用者（飲用者）に空気流通孔として認識されやすく、挿通孔２２に加えて空気流通孔２３も使用するよう促すことができる。
【００３４】
図８から図１０には他の実施形態に係るオーバーキャップ１ｃが示されている。
このオーバーキャップ１ｃではオーバーキャップ本体６ｃの窪み１８が２段の深さの第１の窪み１８ａ、第２の窪み１８ｂとで構成されている。最も深い第１の窪み１８ａが、挿通孔２２に隣接して形成されているので、挿通孔２２に口唇を当てたときに、上唇で挿通孔２２を特に覆い易い。また、空気流通孔２３がスティック保持部２４の直下に形成されているので、オーバーキャップ１ｃに装着された状態では切開スティック７が空気流通孔２３を覆うことになり、見栄えがよく、切開スティック７を取り外した状態では空気流通孔として視認されやすくなっている。
【００３５】
図１１から図１３には他の実施形態に係るオーバーキャップ１ｄが示されている。このオーバーキャップ１ｄではオーバーキャップ本体６ｄの土手状の隆起部２１の幅を狭くして挿通孔２２を隆起部２１の直近の窪み１８に形成したものである。この場合は挿通孔２２から流出した内容液の流れが隆起部２１の内面に伝わるので、この状態は通常の食器から飲用するときの状態であるので、カップ型容器２の取扱いがきわめて容易である。
【００３６】
図１４から図１６には他の実施形態に係るオーバーキャップ１ｅが示されている。
すなわち、このオーバーキャップ１ｅはオーバーキャップ本体６ｅの天板１６に窪み１８ｅと挿通孔２２ｅとを有するが、先に説明した第１の実施形態のオーバーキャップ１ａと較べて特に重要な相違点は切開スティック７ｅの構造と、これによって開口される孔が一つである点である。
【００３７】
切開スティック７ｅは胴部２８ｅを有し、胴部２８ｅの先端に切り刃３１ｅを有し、後端部に大径のフランジからなるストッパー３４ｅを有し、さらにストッパー３４ｅの真下の胴部に液通路４２ｅを構成する環状部分４３ｅが設けられ、その環状部分４３ｅから半径方向外方に小点状の複数のアンダーカット４５ｅが突出している。特に重要な点として、切開スティック７ｅは流出する内容物が通る液通路４２ｅが後端部の環状部分４３ｅの内側を通って形成されている。ストッパー３４ｅとアンダーカット４５ｅは協働してオーバーキャップ本体６ｅの挿通孔２２ｅの縁をつかんで、オーバーキャップ本体６ｅに対する切開スティック７ｅの落ち込みまたは抜け出しを抑止する。
【００３８】
挿通孔２２ｅの径は切開スティック７ｅの環状部分４３ｅの外径とほぼ等しく、挿通孔２２ｅに切開スティック７ｅを挿通させたときに、環状部分４３ｅの外面が挿通孔２２ｅの縁に密接することが望ましい。
【００３９】
切開スティック７ｅとしては図１６から図２１に示す構成を採ることができる。
すなわち、胴部２８ｅを円筒状に構成し、その先端部３２ｅを円錐状にして切り刃３１ｅとし、胴部２８ｅに複数の液体流入口４４ｅを形成したもの（図１４から図１６参照）、胴部２８ｅを円筒状に構成し、その先端部３２ｅを斜めに切って構成した切り刃３１ｅを有するもの（図１７参照）、胴部２８ｅを円筒状に構成し、その先端部３２ｅを斜めに切って切り刃３１ｅを形成し、さらに胴部２８ｅに中心線方向に切り欠いた液体流入口４４ｅを形成したもの（図１８参照）、胴部２８ｅを仮想の円筒面上に配置した片状部材４６ｅの集合として構成し、その先端部を円錐面の頂点で連結して切り刃３１ｅとし、片状部材４６ｅの間に大きな液体流入口４４ｅを形成したもの（図１９参照）、胴部２８ｅを板状片を十文字に組合せて構成し、下端に尖端を形成して切り刃３１ｅとして構成したもの（図２０参照）、その他を採用することができる。
【００４０】
このように構成されたオーバーキャップ１ｅの動作は次の通りである。
カップ型容器２のシール蓋５を切開する動作としては、図１６に示すように、切開スティック７ｅをオーバーキャップ本体６ｅから外し、挿通孔２２ｅに刺し込む。オーバーキャップ本体６ｅの下にはシール蓋５があるので、切開スティック７ｅの切り刃３１ｅがシール蓋５を切開し流出口４１が形成される。流出口４１が形成される切開スティック７ｅの挿入距離において、切開スティック７ｅのストッパー３４ｅがオーバーキャップ本体６ｅの縁に干渉して切開スティック７ｅの進入が停止するので、切開スティック７ｅが過剰に進入してカップ型容器２内に落下することはない。一方ストッパー３４ｅの直下にはアンダーカット４５ｅがあって、ストッパー３４ｅとアンダーカット４５ｅが協働して挿通孔２２ｅの縁を挟む状態で切開ステック７ｅがオーバーキャップ本体６ｅに係合するので、切開スティック７ｅが挿通孔２２ｅから抜け出ることもなく、切開スティック７ｅが挿通孔２２ｅに嵌入した状態となる。
【００４１】
この状態でカップ型容器２を傾けると内容物は切開スティック７ｅ内に液体流入口４４ｅを通して流れ込み、環状部分４３ｅの内側の液通路４２ｅを通して流れ出るので口唇で飲むことができる。
このように液通路４２ｅを持つ切開スティック７ｅを使用するオーバーキャップ１ｅの場合は、飲み口の形状が環状部分４３ｅによって規定されて固定的に安定しているので、飲み勝手がきわめて良好である。
また、このオーバーキャップ１ｅでは、シール蓋５に形成する流出口４１と空気口を１つに統合し、その結果シール蓋５に開口される孔は一つであって、開口操作も簡単になる。
【００４２】
図２１から図３６にはそれぞれ他の実施形態に係るオーバーキャップ１ｆ〜１ｈが示されている。それぞれの実施形態のオーバーキャップ１ｆ〜１ｈはカップ容器のシール蓋５に形成する流出口４１と空気口５２の形成の仕方及びオーバーキャップに形成する挿通孔２２ｆと空気流通孔２３ｆの形態に特徴がある。
【００４３】
図２１から図２２において、１ｆはオーバーキャップである。オーバーキャップ１ｆではオーバーキャップ本体６ｆの天板１６の窪み１８が２段の深さの第１の窪み１８ａと第２の窪み１８ｂとで構成されていて、最も深い第１の窪み１８ａが、挿通孔２２ｆに隣接して形成され、第１の窪み１８ａの底面に空気流通孔２３ｆが形成されていて、かつ深さの浅い第２の窪み１８ｂにはスティック保持部２４ｆが形成されている。
スティック保持部２４ｆは大径のスティック頭部収容溝５３ｆと小径のスティック胴部収容溝５４ｆとからなっている。
【００４４】
一方切開スティック７ｆは図２３に示すように、筒状の液通路４２ｆを構成する上端開放の胴部２８ｆを有し、その胴部２８ｆの先端の近傍に液体流入口４４ｆを開設する。
この液体流入口４４ｆは液通路４２ｆの内外を連通させている。胴部２８ｆの先端には針状突出部５５ｆが延出している。針状突出部５５ｆの長さはオーバーキャップ１ｆをカップ型容器２に装着した場合の、オーバーキャップ本体６ｆの第１の窪み１８ａの底面とカップ型容器２のシール蓋５との距離に応じて決定されるものであって、図２３に示すように、針状突出部５５ｆが比較的長い場合と、図２４に示すように、比較的短い場合とがある。一方切開スティック７ｆの胴部２８ｆの後端部の外周にはストッパー３４ｆがつば状に張り出している。
【００４５】
オーバーキャップ１ｆの使用前の状態では、切開スティック７ｆはストッパー３４ｆがオーバーキャップ本体６ｆのスティック頭部収容溝５３ｆに入り、胴部２８ｆの一部分がスティック胴部収容溝５４ｆに入り、胴部２８ｆの先端部と針状突出部５５ｆが第１の窪み１８ａに入った状態でスティック保持部２４ｆに収容されている。この状態では切開スティック７ｆの胴部２８ｆのうち第１の窪み１８ａに入った部分が第１の窪み１８ａに開設された空気流通孔２３ｆの上になって空気流通孔２３ｆを覆っている。
次にカップ型容器２を開封するときには、切開スティック７ｆを指で摘んでオーバーキャップ本体６ｆから外し、次に図２５（ａ）に示すように切開スティック７ｆの針状突出部５５ｆをオーバーキャップ本体６ｆの空気流通孔２３ｆに差し込んで、下にあるシール蓋５を突き刺して空気出口５２ｆを開口させる。
【００４６】
次に図２５（ｂ）に示すように、切開スティック７ｆをオーバーキャップ本体６ｆの挿通孔２２ｆに差し込む。この時の差し込み量は胴部２８ｆの上部のストッパー３４ｆが挿通孔２２ｆの縁と干渉して停止するまで挿入する。この深い挿入によって、胴部２８ｆがシール蓋５を切開して大口径の流出口４１が形成する。切開スティック７ｆの胴部２８ｆには液通路４２ｆが開通しており、また胴部２８ｆの先端には液体流入口４４ｆが開口しているので、これらを通してカップ型容器２の内外は連通し、口唇を挿通孔２２ｆに当ててカップ型容器２を傾ければカップ型容器２内の内容液が切開スティック７ｆの液体流入口４４ｆ、液通路４２ｆを通して流れ出るので、飲用することができる。このときの必要な空気量は空気口５２ｆから流入する。
この実施形態のオーバーキャップ１ｆでは切開スティック７ｆが針状突出部５５ｆを持っているので、空気出入孔５２ｆの開設及び流出口４１を開設する際の初期開口の形成が容易である。
【００４７】
図２６から図２９に示す実施形態のオーバーキャップ１ｇはシール蓋５に形成する流出口と空気口とを一つに統合し、かつオーバーキャップ本体に形成する挿通孔と空気流通孔とを一つに統合したものである。
すなわち、図２６から図２７において、１ｇはオーバーキャップである。
オーバーキャップ１ｇはオーバーキャップ本体６ｇの天板１６ｇにスティック保持部２４ｇが窪み状に形成され、かつ天板１６ｇの縁寄りの位置に大径の挿通孔２２ｇが設けられている。
【００４８】
切開スティック７ｇは図２８に示すように大径の中空筒状の胴部２８ｇを有し、胴部２８ｇの内部が液通路４２ｇを構成し、液通路４２ｇの先端及び後端は開放である。
胴部２８ｇの先端は鋭利なエッジからなる切り刃３１ｇが形成されており、また胴部２８ｇの後端部の外周にはストッパー３４ｇがつば状に張り出している。
オーバーキャップ１ｇの使用前の状態では切開スティック７ｇはオーバーキャップ本体６ｇのスティック保持部２４ｇに収容されている。
【００４９】
次にカップ型容器２を開封するときは、切開スティック７ｇをオーバーキャップ本体６ｇから外し、次に図２９に示すように、切開スティック７ｇをストッパー３４ｇがオーバーキャップ本体６ｇの挿通孔２２ｇの縁に干渉して停止するまで挿通孔２２ｇに差し込む、これによって、先端の切り刃３１ｇがシール蓋５を切開して大口径の流出口４１が形成される。
【００５０】
この流出口４１には切開スティック７ｇが差し込まれたままとなるので、切開スティック７ｇの胴部２８ｇの液通路４２ｇを通してカップ型容器２の内外が連通し、カップ型容器２を傾ければ内容液は液通路４２ｇを通して流れ出るので飲用することができる。このとき液通路４２ｇの径は充分に大きいので、内容液の流出路と空気の流入路としての両方の機能を発揮することができる。
また、このオーバーキャップ１ｇでは、シール蓋５に形成する流出口４１と空気口を１つに統合し、その結果シール蓋５に開口される孔は一つであって、開口操作も簡単になる。
【００５１】
図３０から図３３に示す実施形態のオーバーキャップ１ｈもシール蓋５に形成する流出口４１と空気口５２とを一つに統合し、かつオーバーキャップ本体６ｈに形成する挿通孔と空気流通孔とを一つに統合したものである。すなわち、図３０から図３２において、１ｈはオーバーキャップであり、オーバーキャップ本体６ｈの天板１６にスティック収容溝２５ｈが設けられている。一方切開スティック７ｈは大径の中空の筒状の胴部２８ｈを有し、胴部２８ｈの内部が液通路４２ｈを構成し、液通路４２ｈの先端部及び後端は開放である。胴部２８ｈの先端は鋭利なエッジからなる切り刃３１ｈが形成されており、また胴部２８ｈの後端部の外周にはストッパー３４ｈがつば状に張り出している。オーバーキャップ１ｈの使用前の状態では、切開スティック７ｈはスティック収容溝２５ｈに収容されている。
【００５２】
次にカップ型容器２を開封するときには、切開スティック７ｈをオーバーキャップ本体６ｈから外し、次に図３３に示すように、切開スティック７ｈをストッパー３４ｈが挿通孔２２ｈの縁に干渉して停止するまで挿通孔２２ｈに差し込む。これによって先端の切り刃３１ｈがシール蓋５を切開して大口径の流出口４１が形成される。この流出口４１には切開スティック７ｈが差し込まれたままとなるので、切開スティック７ｈの胴部２８ｈの液通路４２ｈを通してカップ型容器２の内外が連通し、カップ型容器２を傾ければ、内容液は液通路４２ｈを通して流れ出るので、飲用することができる。このとき、液通路４２ｈの径は充分に大きいので、内容液の流出路と空気の流入路としての両機能発揮させることができる。
【００５３】
また、このオーバーキャップ１ｈでは、シール蓋５に形成する流出口４１と空気口を１つに統合し、その結果シール蓋５に開口される孔は一つであって、開口操作も簡単になる。
【００５４】
以上の説明から明らかな通り、この発明によればメーカー調整のカップ飲料についてシール蓋に飲み口や空気入口を容易に、静かにかつ円滑に形成することができ、飲用時のマウスピースとしてカップに装着して使用することができるカップ型容器に装着するオーバーキャップを得ることができる。
【図面の簡単な説明】
【００５５】
【図１】オーバーキャップの縦断面図
【図２】オーバーキャップの平面図
【図３】オーバーキャップの使用状態を示す縦断面図
【図４】各種切開スティックを示す正面図
【図５】他のオーバーキャップの縦断面図
【図６】他のオーバーキャップの平面図
【図７】図６におけるＡ−Ａ部断面図
【図８】他のオーバーキャップの縦断面図
【図９】他のオーバーキャップの平面図
【図１０】図９におけるＡ−Ａ部断面図
【図１１】他のオーバーキャップの縦断面図
【図１２】他のオーバーキャップの平面図
【図１３】図１２におけるＡ−Ａ部断面図
【図１４】他のオーバーキャップの縦断面図
【図１５】他のオーバーキャップの平面図
【図１６】他のオーバーキャップの使用状態を示す縦断面図
【図１７】他の切開スティックを示す図で（ａ）は正面図、（ｂ）は断面図、（ｃ）は背面図
【図１８】他の切開スティックを示す図で（ａ）は正面図、（ｂ）は断面図、（ｃ）は背面図
【図１９】他の切開スティック７を示す図で（ａ）は平面図、（ｂ）は正面図
【図２０】他の切開スティック７を示す図で（ａ）は平面図、（ｂ）は正面図
【図２１】他のオーバーキャップの斜視図
【図２２】他のオーバーキャップを示す図で、（ａ）は平面図、（ｂ）は縦断面図
【図２３】他の切開スティックを示す図で、（ａ）は正面縦断面図、（ｂ）は側面縦断面図、（ｃ）は平面図、（ｄ）は底面図
【図２４】他の切開スティックを示す図で、（ａ）は正面縦断面図、（ｂ）は側面縦断面図、（ｃ）は平面図、（ｄ）は底面図
【図２５】他のオーバーキャップの操作状態を示す図で、（ａ）は空気孔を開設する状態の縦断面図（ｂ）は流出口を開設する状態の縦断面図（ｃ）は空気孔と流出口を開設した状態の縦断面図
【図２６】他のオーバーキャップの斜視図
【図２７】他のオーバーキャップを示す図で、（ａ）は平面図、（ｂ）は縦断面図
【図２８】他の切開スティックを示す図で、（ａ）は平面図、（ｂ）は正面図、（ｃ）は縦断面図、（ｄ）は背面図
【図２９】他のオーバーキャップの操作状態を示す図で、（ａ）は平面図（ｂ）は縦断面図
【図３０】他のオーバーキャップの斜視図
【図３１】他のオーバーキャップを示す図で、（ａ）は平面図、（ｂ）は縦断面図
【図３２】他の切開スティックを示す図で、（ａ）は平面図、（ｂ）は正面図、（ｃ）は縦断面図、（ｄ）は背面図
【図３３】他のオーバーキャップの操作状態を示す図で、（ａ）は空気孔を開設する状態の縦断面図（ｂ）は流出口を開設する状態の縦断面図（ｃ）は空気孔と流出口を開設した状態の縦断面図
【符号の説明】
【００５６】
１ａ、１ｂ、１ｃ、１ｄ、１ｅ、１ｆ、１ｈ    オーバーキャップ
２    カップ型容器
３    フランジ
４    開放開口
５    シール蓋
７、７ｄ、７ｅ、７ｆ、７ｇ、７ｈ切開スティック
１１  覆部
１２  取付裾部
１３  肩部
１４  中心線
１５  筒部
１６  天板
１７  係止部
１８  窪み
１８ａ  第１の窪み、
１８ｂ  第２の窪み
１８ｄ  窪み
２１  隆起部
２２、２２ｄ、２２ｆ、２２ｈ挿通孔
２３ｆ、２３、２３ｈ空気流通孔
２４  スティック保持部
２５ａ、２５ｂ、２５ｈスティック収容溝
２６  上端開口部
２８、２８ｄ、２８ｅ、２８ｆ、２８ｇ、２８ｈ胴部
３０  アンダーカット
３１、３１ｄ、３１ｇ、３１ｈ切り刃
３２、３２ｄ先端部
３３  後端部
３４、３４ｄ、３４ｆ、３４ｈストッパー
３５  スリット
３６  把持部
３７  大径部
３８  大径部
３８ｄ、３８ｅフランジ
４１  流出口
４２ｅ、４２ｆ、４２ｇ、４２ｈ液通路
４３ｅ  環状部分
４４ｅ、４４ｆ液体流入口
４５ｅ  アンダーカット
４６ｅ  片状部材
４７ｅ  板状片
５１  内容物流出孔
５２  空気出入孔
５３  スティック頭部収容溝
５４  スティック胴部収容溝
５５  針状突出部
５５ｈ  係止部
５７ｈ  係止つば
【図１】
2008189328.tif 000003
【図２】
2008189328.tif 000004
【図３】
2008189328.tif 000005
【図４】
2008189328.tif 000006
【図５】
2008189328.tif 000007
【図６】
2008189328.tif 000008
【図７】
2008189328.tif 000009
【図８】
2008189328.tif 000010
【図９】
2008189328.tif 000011
【図１０】
2008189328.tif 000012
【図１１】
2008189328.tif 000013
【図１２】
2008189328.tif 000014
【図１３】
2008189328.tif 000015
【図１４】
2008189328.tif 000016
【図１５】
2008189328.tif 000017
【図１６】
2008189328.tif 000018
【図１７】
2008189328.tif 000019
【図１８】
2008189328.tif 000020
【図１９】
2008189328.tif 000021
【図２０】
2008189328.tif 000022
【図２１】
2008189328.tif 000023
【図２２】
2008189328.tif 000024
【図２３】
2008189328.tif 000025
【図２４】
2008189328.tif 000026
【図２５】
2008189328.tif 000027
【図２６】
2008189328.tif 000028
【図２７】
2008189328.tif 000029
【図２８】
2008189328.tif 000030
【図２９】
2008189328.tif 000031
【図３０】
2008189328.tif 000032
【図３１】
2008189328.tif 000033
【図３２】
2008189328.tif 000034
【図３３】
2008189328.tif 000035